(57)【要約】【課題】輝度の低下や構造上のデメリットを生じさせずにランプ近傍の異常発光を防止できる面状光源装置および表示品位の高い液晶表示装置を得る。【解決手段】ランプリフレクタ２が、少なくとも導光板３の反発光面側において、反射シート４よりも張出し、段差部２ｂを介して上記反射シート４に接合され、また、線状光源１と対向する反射シート４の両端部に切り欠き部５が形成されている面状光源装置が提案される。併せて、この面状光源装置を備えた液晶表示装置が提案される。【選択図】図２
2008235289.tif 000002
【特許請求の範囲】
【請求項１】
両端に電極部を有する線状光源と、
上記線状光源の電極部を保護するランプホルダと、
上記線状光源が少なくとも一側面に配設された導光板と、
上記導光板の裏面の反発光面側に配設された
上記線状光源の周りに設けられ、上記導光板の一側面を覆い、上記線状光源から出射される光を反射して上記導光板側に放射するランプリフレクタとを備え、
上記ランプリフレクタは、少なくとも上記導光板の反発光面側において、上記反射シートよりも張出し、段差部を介して上記反射シートに接合され、
上記線状光源と対向する上記反射シートの両端部に切り欠き部が形成されていることを特徴とする面状光源装置。
【請求項２】
上記反射シートは、上記ランプリフレクタ内で上記導光板の端部より突出して配置されたことを特徴とする請求項１記載の面状光源装置。
【請求項３】
ランプレフレクタ内に突出した上記反射シートの両端部に、上記切り欠き部が形成されていることを特徴とする請求項２記載の面状光源装置。
【請求項４】
二枚の対向する透明基板の間に液晶材料を挟持してなる液晶表示素子と、
上記液晶表示素子の裏面側に配置され、上記液晶表示素子に光を照射する請求項１〜請求項３のいずれか一項記載の面状光源装置を備えたことを特徴とする液晶表示装置。
【発明の詳細な説明】
【技術分野】
【０００１】
この発明は、面状光源装置およびこれをバックライトとして搭載した液晶表示装置に関するものである。
【背景技術】
【０００２】
図６は従来の液晶表示装置のバックライトとして用いられているサイドライト型の面状光源装置の一例を示す分解斜視図、図７は図６の面状光源装置の光源近傍の断面図である。図において、１は冷陰極線管等からなるランプ、２はランプ１の周りに設けられ、ランプ１から出射される光を反射して一方向に放射するランプリフレクタ、３は光の透過率の高い例えばアクリル系樹脂などからなる導光板で、その長辺側の一側面にランプ１を有するランプリフレクタ２が装着されている。４は導光板３の裏面側（反発光面側）に装着された反射シートである。上記部材により構成された面状光源装置は、液晶表示素子の裏面側に発光面側を対向させて配置される。
【０００３】
上記に示す面状光源装置では、ランプ１から出射されランプリフレクタ２により反射されて導光板３に入射した光は、導光板３を構成するアクリルと空気の屈折率の違いにより全反射を繰り返しながら導光板３内を伝播されるが、導光板３の反発光面側に形成された光を散乱させるための印刷パターンにあたることにより散乱されて発光面側に出射される。このとき、印刷パターンにより散乱された光は反発光面側にも散乱されるため、この光の導光板３からの漏出を防止する目的で、反射シート４が導光板３の反発光面側に装着されている。通常、反射シート４は、図７に示すように、導光板３と同様にランプリフレクタ２の内部まで挿入されている。
【０００４】
しかし、導光板３に入射した光は、理想的には全反射を繰り返しながら伝播されるが、実際には導光板３の入光部側面の表面粗さや導光板３とランプリフレクタ２の間隙から侵入した光により、導光板３のランプ１近傍において異常発光（輝線）が生じる。
この異常発光を防止する目的で、図８に示すように、反射シート４のランプ１近傍に異常発光を吸収するドットパターン６をスクリーン印刷により形成する方法が提案されている。なお、ドットパターン６は光を吸収するよう黒色もしくは灰色の塗料を用いて形成され、反射シート４のランプ１側の端部から数ｍｍ〜数ｃｍの幅で印刷されている。また、ドットパターン６は、一般的にランプ１から遠ざかるに従いドットパターン６の形状が小さくなるグラデーションが設けられている。
また、特開平１０−１１２２１４号公報等には、ランプ１近傍における異常発光を減少させる目的で、ランプリフレクタ２内で反射シート４を導光板３より突出させる方法が開示されている。
【０００５】
【特許文献１】特開平１０−１１２２１４号公報
【発明の開示】
【発明が解決しようとする課題】
【０００６】
従来のサイドライト型の面状光源装置は以上のように構成されており、ランプ１近傍の異常発光を防止する方法として、ランプリフレクタ２内で反射シート４を導光板３より突出させる方法が提案されているが、従来はランプ１の電極部は発光に寄与しないため導光板３の外側に配設されていたが、近年の液晶表示装置の狭額縁化の要求に伴い、導光板３の両端にランプ１の電極部が配置され、この電極部もしくは電極部を保護するランプホルダがランプリフレクタ２内に突出した反射シート４と干渉するという問題があった。
また、反射シート４のランプリフレクタ２内への突出部に光を吸収するドットパターン６が印刷されていた場合、本来導光板３に入射する光を吸収するため、光の利用効率が低下して輝度を低下させるという問題があった。
【０００７】
この発明は、上記のような問題点を解消するためになされたもの、輝度の低下や構造上のデメリットを生じさせずにランプ近傍の異常発光を防止できる面状光源装置を得ることを目的とする。さらにこの面状光源装置を用いることにより表示品位の高い液晶表示装置を提供することを目的とする。
【課題を解決するための手段】
【０００８】
この発明に係わる面状光源装置は、両端に電極部を有する線状光源と、線状光源の電極部を保護するランプホルダと、線状光源が少なくとも一側面に配設された導光板と、導光板の裏面の反発光面側に配設された反射シートと、線状光源の周りに設けられ、導光板の一側面を覆い、線状光源から出射される光を反射して導光板側に放射するランプリフレクタとを備え、ランプリフレクタは、少なくとも導光板の半発光面側において、反射シートよりも突出し、段差部を介して上記反射シートに接合され、上記線状光源と対向する反射シートの両端部に切り欠き部が形成されているものである。
また、反射シートは、ランプリフレクタ内で導光板の端部より突出して配置されている。
また、ランプリフレクタ内に突出した反射シートの両端部に、切り欠き部が形成されている。
【０００９】
また、この発明に係わる液晶表示装置は、二枚の対向する透明基板の間に液晶材料を挟持してなる液晶表示素子と、液晶表示素子の裏面側に配置され、液晶表示素子に光を照射する上記面状光源装置を備えたものである。
【発明の効果】
【００１０】
この発明によれば、線状光源と対向する反射シートの両端部に切り欠き部が形成されているので、ランプホルダまたは電極部などの部材との干渉を避けることができる。
また、上記構成を有する面状光源装置を用いることにより、輝度ムラのない表示品位の高い液晶表示装置を提供することができる。
【発明を実施するための最良の形態】
【００１１】
以下この発明のいくつかの実施の形態について、図面を参照して説明する。
【００１２】
実施の形態１．
この発明の一実施の形態である面状光源装置を図について説明する。図１は本発明の実施の形態１による面状光源装置の光源近傍の断面図、図２は図１の光源近傍の分解斜視図である。図において、１は冷陰極線管等からなる線状光源（以下、ランプと称する）。１ａはランプ１の電極部を保護するランプホルダ、２はランプ１の周りに設けられ、ランプ１から出射される光を反射して一方向に放射するランプリフレクタ、３は光の透過率の高いアクリル系樹脂からなる導光板で、その長辺側の一側面にランプ１を有するランプリフレクタ２が装着されている。４は導光板３の裏面側（反発光面側）に装着された反射シート、５は反射シート４に設けられた切り欠き部である。ランプリフレクタ２は、ランプ１の周りに設けられ、導光板３の発光面側では、導光板３よりも張出し、段差部２ａを介して導光板３の発光面側に接合しており、また導光板３の反発光面側では、反射シート４よりも張出し、段差部２ｂを介して反射シート４に接合しており、導光板３の長辺側の一側面を覆っている。
【００１３】
図３はランプリフレクタ２内における導光板３からの反射シート４の突出量Ｘに対するランプ１近傍の異常発光強度の測定結果を示す図である。本測定においては、ランプ１の直径２．３ｍｍ、導光板３の入光部厚み２．５ｍｍ、ランプホルダ１ａはシリコンゴム製、ランプリフレクタ２は銀蒸着フィルムを貼り付けた真鍮製を用いた。
【００１４】
図３に示す測定結果より、導光板３からの反射シート４の突出量Ｘと異常発光強度はほぼ反比例の関係にあり、突出量Ｘが２ｍｍ付近以降では異常発光強度がほぼ一定となっている。ここで異常発光強度とは各突出量Ｘでの異常発光（輝度）のピークにおける測定値であり、単位はｃｄ／ｍ２である。また、突出量Ｘがマイナスの場合、すなわち反射シート４が導光板３の反発光面側全体を覆わず導光板３が露出している場合は、異常発光強度は極端に増加している。
なお、本実施の形態で用いた面状光源装置では、液晶表示装置の狭額縁化に対応して、ランプリフレクタ２が装着されている導光板３の辺の長さとランプ１の長さが等しいため、反射シート４を導光板３から突出させた場合には、反射シート４の両端部がランプ１両端の電極部やランプホルダ１ａと干渉するので、反射シート４の両端部に切り欠き部５を設けることにより干渉を防止することができた。
【００１５】
本実施の形態によれば、ランプリフレクタ２内に反射シート４を導光板３より突出させる（Ｍａｘ．２ｍｍ）ことにより、ランプ１近傍の異常発光を低減させることが可能であり、また、突出させる反射シート４の両端部に切り欠き部５を設けることにより、突出させた反射シート４とランプ１両端の電極部やランプホルダ１ａとの干渉を容易に防止することができる。
【００１６】
実施の形態２．
図４はこの発明の実施の形態２による面状光源装置の反射シートを示す平面図である。図において、６は反射シート４に形成された光を吸収する有色（本実施の形態では黒色）印刷からなるドットパターンで、反射シート４のランプ１側端部から０．３ｍｍ間隔を開けて形成され、かつランプ１から遠ざかるに従いドットパターン６の形状が小さくなるグラデーションが設けられている。なお、その他の構成は実施の形態１と同様であるので説明を省略する。
【００１７】
図５はドットパターン６が形成された反射シート４の導光板３からの突出量Ｘに対する面状光源装置の輝度の測定結果を示す図である。
測定結果より突出量ｘが０〜０．３ｍｍ付近まででは面内輝度は突出量の増大に伴い緩やかに減少する。しかし、突出量Ｘが０．３ｍｍ付近で輝度が大きく低下しており、これは、黒色印刷からなるドットパターン６がランプリフレクタ２内に露出することにより、ドットパターン６が導光板３に入射する光を吸収することに起因していると考えられる。
【００１８】
本実施の形態によれば、反射シート４に形成する光を吸収する黒色印刷からなるドットパターン６を、反射シート４を導光板３より突出させた場合においてもドットパターン６がランプリフレクタ２内に露出しないように形成することにより、輝度を低下させずにランプ１近傍の異常発光強度を低減させることができる。
【００１９】
実施の形態３．
実施の形態１および２とに示した構成を有する面状光源装置を二枚の対向する透明絶縁性基板の間に液晶材料を挟持してなる透過型の液晶表示素子の裏面側（入射面側）に配置することにより、高輝度かつ輝度ムラのない均一な表示特性を有する液晶表示装置を得ることができる。
【図面の簡単な説明】
【００２０】
【図１】この発明の実施の形態１による面状光源装置の光源（ランプ）近傍の断面図である。
【図２】この発明の実施の形態１による面状光源装置の分解斜視図である。
【図３】この発明の実施の形態１による面状光源装置の反射シートの突出量と異常発光強度の関係を示す図である。
【図４】この発明の実施の形態２による面状光源装置の反射シートを示す平面図である。
【図５】この発明の実施の形態２による面状光源装置の反射シートの突出量と輝度の関係を示す図である。
【図６】従来のこの種面状光源装置の分解斜視図である。
【図７】従来の面状光源装置の光源（ランプ）近傍の断面図である。
【図８】従来の面状光源装置の反射シートを示す平面図である。
【符号の説明】
【００２１】
１：ランプ、１ａ：ランプホルダ、２：ランプリフレクタ、３：導光板、
４：反射シート、５：切り欠き部、６：ドットパターン。
【図７】
2008235289.tif 000003
【図１】
2008235289.tif 000004
【図２】
2008235289.tif 000005
【図３】
2008235289.tif 000006
【図４】
2008235289.tif 000007
【図５】
2008235289.tif 000008
【図６】
2008235289.tif 000009
【図８】
2008235289.tif 000010